(57)【特許請求の範囲】
【請求項１】
サウンドボード（５）を備え、このサウンドボード（５）は中空体（６）に結合され、この中空体（６）は支持構造（９−１１）を含み、この支持構造（９−１１）に略円錐台の半分の形状を有する外側シェル（１２）が結合され、
上記支持構造（９−１１）は、
ボトムウォールつまりチェストボトム（７）と、上端部材つまり上部ブロック（８）とを備え、
中央縦バッテンつまりバックボード（９）と、２つの側部バッテンつまりプランク（１０）とを備え、バックボード（９）と、２つのプランク（１０）とは、上記チェストボトム（７）から上記上部ブロック（８）に、１つはサウンドボード（５）から離れて、１つはサウンドボード（５）の近くに、それぞれ延在し、
複数の、縦方向に互い違いの、横方向の補強部材つまりブリッジ（１１）を備え、これらのブリッジ（１１）のそれぞれは、上記バックボード（９）に中央で結合され、上記側部プランク（１０）に結合されている両端部（１１ｂ）を有し、
上記外側シェル（１２）は、上記バッテン（９，１０）の表面に結合され、この表面は外側に向いており、
上記ブリッジ（１１）は、上記シェル（１２）の内面に少なくとも部分的にぴったりくっついており、上記バッテン（９，１０）および上記ブリッジ（１１）は、それぞれ、相互結合のための部分を有し、実質的に相補的な横方向プロフィールを有し、少なくとも部分的にお互いに貫通し合っており、
上記側部バッテンつまりプランク（１０）と結合するためのブリッジ（１１）の部分は、それぞれ、略Ｌ字形状の横方向プロフィールを有する凹型シート（１１ｄ）を有していることを特徴とするハープ（１）のためのサウンドチェスト（４）。
【請求項２】
請求項１に記載のサウンドチェストにおいて、
上記バッテン（９，１０）と上記ブリッジ（１１）との相互結合部分は、これらの相補的なプロフィールの間に介在している接着剤によって、お互いに結合されていることを特徴とするサウンドチェスト。
【請求項３】
請求項２に記載のサウンドチェストにおいて、
上記バッテン（９，１０）と上記ブリッジ（１１）との相互結合部分は、相互結合部材によってお互いに連結され、これらの相互結合部材は、シェル（１２）の内側から、かつ、上記バッテン（９，１０）の外面から、上記バッテン（９，１０）を通って、上記ブリッジ（１１）内に挿入されていることを特徴とするサウンドチェスト。
【請求項４】
請求項１から３までのいずれか１つに記載のサウンドチェストにおいて、
上記中央バッテンつまりバックボード（９）と結合するためのブリッジ（１１）の部分は、略四角形溝として成形された横方向プロフィールを有する凹型シート（１１ｃ）を有していることを特徴とするサウンドチェスト。
【請求項５】
請求項１から４までのいずれか１つに記載のサウンドチェストにおいて、
上記ブリッジ（１１）および上記バッテン（９，１０）の外面の横方向プロフィールは、お互いに連続的に連結し、同じ形で単一のアーチ形のプロフィールを形成し、介在する接着剤で上記シェル（１２）の内面に結合されていることを特徴とするサウンドチェスト。
【請求項６】
請求項１から５までのいずれか１つに記載のサウンドチェストにおいて、
上記バッテン（９，１０）の内面は、平らであることを特徴とするサウンドチェスト。
【請求項７】
請求項１から６までのいずれか１つ以上に記載のハープのサウンドチェストを組み立てる方法において、
上記チェストボトム（７）および上部ブロック（８）、横方向の補強部材つまりブリッジ（１１）、中央バッテンつまりバックボード（９）、および側部バッテンつまりプランク（１０）を事前に処理するステップと、
上記ステップで事前に処理されたコンポーネント（７−１１）を組み立てて、上記サウンドチェスト（４）の支持構造を形成するステップと、
上記支持構造（７−１１）に外側シェル（１２）を取り付けるステップと
を備え、
ブロック（２２）を含むテンプレート（２０）を事前に処理し、このブロック（２２）は、製造されるサウンドチェスト（４）の内部容積に少なくとも部分的に対応する形状を有し、複数の横方向シート（２３，２６，２７）を有し、これらの横方向シート（２３，２６，２７）は、上記上部ブロック（８）、それぞれのブリッジ（１１）および上記チェストボトム（７）を受けると共に配置するのに適しており、ブロック（２２）は、複数の縦レセプタクル（２４，２５）を有し、これらの複数の縦レセプタクル（２４，２５）は、それぞれの縦バッテン（９，１０）を受けると共に配置するのに適しており、
その後、上記ブリッジ（１１）、上記上部ブロック（８）および上記チェストボトム（７）は、それぞれのシート（２３，２６，２７）に配置され、その後、上記バッテン（９，１０）は、それぞれのレセプタクル（２４，２５）内に挿入されると共に、上記ブリッジ（１１）、上記上部ブロック（８）および上記チェストボトム（７）と結合されると共に取り付けられ、
少なくとも１枚のフレキシブルシート（１２）は、上記テンプレート（２０）およびこのテンプレート（２０）に配置されると共に組み立てられたコンポーネント（７−１１）によって、成形されている組立品の外面に合わされると共に固定され、
この装着されたテンプレート（２０）は、予め定められた時間、プレス内を通過することを特徴とする方法。
【発明の詳細な説明】
【技術分野】
【０００１】
本発明は、一般的にハープ、特にハープのためのサウンドチェスト（sound chests）に関する。
【０００２】
より具体的には、本発明は、請求項１の前文で定義されているタイプのハープのためのサウンドチェストに関する。
このタイプのハープサウンドチェストは、出願人によって製造されたサルヴィ「オーロラ」（Ｓａｌｖｉ “Ａｕｒｏｒａ”）コンサートハープのハープサウンドチェストである。
【０００３】
ハープは、一般に４７本のストリングを有する弦鳴楽器(chordophone)である。ハープのほとんどは、ペダルまたは特別なレバーを操作することによって、シャープかつフラットな変化を実行できる。
【０００４】
コンサートハープは、主として木材の使用に頼る従来の方法を使用して、通常製造されている。設計および製造の基準は、かなり経験的な方法で定義されている。したがって、製造された楽器の特徴は、しばしば低い再現性および信頼性を抱えている。
【０００５】
ハープの「心臓」は、サウンドチェストによって表わされている。つまり、このチェストは、実際には主要支持構造で、楽器の振動音響およびティンバー（timbre）の源を構成している。
【０００６】
ハープのサウンドチェストの主要部分は、サウンドボードおよび関連する中空体またはシェルである。これらは、お互いに一緒に、しかしそれぞれ異なる役割で動作する。
【０００７】
上記サウンドボードは、２つの一見対照的なタスクを主として行わなければならない。それは、一方では、ストリングによる引く力（pull）に対する安定的で頑丈な抵抗を与えるための構造的機能を達成しなければならない。そして、他方では、ストリングの振動を音響出力に効果的に変換するための高弾性を有していなければならない。
【０００８】
上記サウンドチェストの中空体またはシェルは、支持構造を備えている。この支持構造の主要素は、バッテン(バックボードおよび２つの側部プランク)によって表わされている。このバッテンは、チェストボトムと上部ブロックとの間に延在している。この構造は、複数（一般的には４つ）の縦方向にずれた（staggered）、横方向部材つまりブリッジによって横方向に補強されている。
【０００９】
カエデ材の複数層のシートで一般的に製造された閉鎖シェルは、約５ｍｍの厚さを有するこの支持構造に適用される。このシェルは、曲げられると共に、ボンディングを十分に速くすることができる関連する加熱システムを有する真空プレスによって、チェストボトム、上部ブロック、側部プランクおよびバックボードにぴったりとくっつけられている。
【００１０】
作業中に、湾曲した複数層のシェルは、内破音（implosive）の態様(いわゆる「座屈」)で、内側への変形を引き起こす傾向がある応力を受ける。これは、非常に望ましくない。確かに、この変形は、チェストシステムを過度に弾力性のあるものにして、サウンドボードおよびチューニングの安定性の点から重大な問題を引き起こすので、審美的に魅力がない態様でチェストの形状を変更するだけでなく、構造上も不適当である。これらの現象を制限し、かつ、重量を過度に増加させることなく、シェルの剛性を上げるために、従来技術は、シェルを形成している湾曲した複数層の木材の変形を制限することを意図して、シェルの内面にぴったりくっついた環状の横方向部材つまり小さなバンドを有している。
【００１１】
シェルの曲げ強さをさらに高めるために、略円錐台の半分であるシェルの形状は、バックボードおよび側部プランクによってかなり顕著に湾曲したキャンバーを有し、樽のように「膨らんでいる」。この、樽のように「膨らんでいる」ことは、製造において、特にシェルを形成している複数層のカエデ材を曲げるステップにおいて、かなりの問題を引き起こしている。つまり、確かに、層内に生成された内部ひずみの事例がある可能性があり、層間剥離および「空洞」を生成する可能性が高く、しかし一方、かなりのひだ、つまりしわが、外側の層の圧縮のせいで、シェルの外面上に生じうる。これらの設計上の欠陥を除去することは、シェルを審美的に受け入れることができるようにし、かつ、確立している寸法に形を戻すために、削ることおよび研磨することによってシェルの外面を手作業で仕上げ加工する重要なステップを必要とする。
【００１２】
上記シェルの成形の間に生成された欠陥の性質および範囲によって、外部仕上げ加工は、異なる厚さの層の除去を含む。したがって、仕上げ加工されたシェルは、そのすべての部分で一定の厚さを有していない。これは、シェルの全面的な剛性プロフィールを変更し、１つのチェストと別のチェストとの間と同様に、チェストの曲げ動作の特性における分散をもたらす。
【００１３】
サウンドチェストの支持構造については、先行技術は、ブリッジ、バックボードおよび内部プランクの平坦な面を並べて、これらの間に接着剤を介在させることによって、これらの結合を達成させている。結合を実行するこの方法は、不十分である。なぜなら、様々なコンポーネントが、時間的に連続的な段階で組み立てられ、手作業による修理の介在が、製造された製品の特性における分散を引き起こしているからである。
【００１４】
ハープのために改善されたサウンドチェストを提案することが本発明の目的である。このサウンドチェストは、上記概説した先行技術に係るチェストの短所を除去するか、または少なくとも著しく減少させることを可能にできる。
【００１５】
また、そのようなサウンドチェストを組み立てるための改善された方法を提案することをさらなる目的としている。
【００１６】
これらの目的および他の目的は、本発明によると、請求項１で定義される特徴を有するサウンドチェストによって達成される。
【００１７】
【００１８】
これらの特徴のおかげで、サウンドチェストの支持構造は、より大きな曲げ剛性および回転剛性を有している。結果として、上記チェストの構造安定性は増加され、これは、シェルの内表面に日付を入れるためにくっつけられている小さな横方向バンドを除去することを可能にする。
【００１９】
ブリッジとバッテンの間の相互結合のための相補的なプロフィール、およびそれらの相互結合を採用したせいで、これらのコンポーネント間のジョイントは、全体としての組立品の構造的な安定性の最大化が結果として生じる、実質的な挿入ジョイントである。
【００２０】
支持構造の増加した安定性は、シェルの厚さを減らすことを可能にする。これは、楽器の音のティンバーに対する有利な影響を伴って、成形性を容易にすると共に、振動寄与を増加させる。
【００２１】
バッテンとブリッジとの相互結合部分は、それらの互いに貫通し合う相補的なプロフィールの間に介在する接着剤によって、お互いに適切に結合されている。この結合は、例えばねじなどの相互結合部材によって安定化される。これらのねじなどは、バッテンの外面から挿入され、バッテンを通って延在し、その後、ブリッジ内に挿入されている。
【００２２】
さらなる特徴によれば、上記チェストの内側の方へ向いているバッテンの表面は、平らである。
【００２３】
１実施形態では、側部バッテンつまりプランクと相互に結合するためのブリッジの部分は、それぞれ、略L字形状の横方向プロフィールを有する凹型シートを有している。中央バッテンつまりバックボードと結合するためのブリッジの部分は、略四角形溝のような横方向プロフィールを有する凹型シートを適切に有しうる。
【００２４】
また、本発明は、ハープのサウンドチェストを組み立てるための革新的な方法を提案している。この方法は、
横方向の補強部材つまりブリッジ、中央バッテンつまりバックボード、および側部バッテンつまりプランクを事前に処理するステップと、
上記ステップで事前に処理されたコンポーネントを組み立てて、上記サウンドチェストの支持構造を形成するステップと、
上記支持構造に外側シェルを取り付けるステップと
を備え、
ブロックを含むテンプレートを事前に処理し、このブロックは、製造されるサウンドチェストの内部容積に少なくとも部分的に対応する形状を有し、複数の横方向のシートを有し、これらの横方向シートは、それぞれのブリッジを受けると共に配置するのに適しており、また、上記ブロックは、複数の縦レセプタクルを有し、これらの縦レセプタクルは、それぞれの縦バッテンを受けると共に配置するのに適しており、
その後、上記ブリッジは、それぞれのシートに配置され、その後、上記バッテンは、それぞれのレセプタクル内に挿入されると共に、上記ブリッジに結合されると共に取り付けられ、
少なくとも１枚のフレキシブルシートは、上記テンプレートおよびこのテンプレートに配置されると共に組み立てられたコンポーネントによって、成形されている組立品の外面に合わされると共に固定され、
この装着されたテンプレートは、予め定められた時間、例えば、加熱された真空プレスのようなプレス内を通過する。
【図面の簡単な説明】
【００２５】
本発明のさらなる特徴および利点は、添付の図面を参照して、非限定的な実施例によって純粋に与えられている、以下の詳細な記載から明らかになるだろう。
【図１】図１は、コンサートハープの外観斜視図である。
【図２】図２は、本発明に係るコンサートハープのためのサウンドチェストの部分分解斜視図である。
【図３】図３は、図２に示される上記サウンドチェストの後部からの外観斜視図である。
【図４】図４は、図２および図３に示されるサウンドチェストの分解斜視図である。
【図５】図５は、図３のＶ−Ｖ線に沿って見た実質的な断面図である。
【図６】図６は、本発明に係るサウンドチェストの製造のために使用するテンプレートの外観斜視図である。
【図７】図7は、図６に示される上記テンプレートおよび上記サウンドチェストの様々なコンポーネントを示している分解斜視図である。
【発明を実施するための形態】
【００２６】
図１では、コンサートハープは、全体として１によって示されている。それ自体が周知な態様で、このハープは、略垂直のカラム２を備え、このカラム２は、ベース２ａから上方へ延在している。
【００２７】
ネック３として知られているものは、カラム２の上端部分から延在している。そして、上記首の遠位端は、サウンドチェストの上端部分に連結され、これは、全体として４によって示されている。
【００２８】
上記サウンドチェスト４は、サウンドボード５を有している。このサウンドボード５の周辺端部は、中空体６に強固に結合され、この中空体は、通常、円錐台の半分に似た形状に実質的に形成されている。
【００２９】
ハープ１は、複数のストリングＳを有している。このストリングＳの一端は、ネック３に取り付けられ、他端は、サウンドボード５に固定されている。
【００３０】
特に図２，４および５を参照して、上記実施形態で図示されているサウンドチェスト4の中空体６は、支持構造を有し、この支持構造は、
開口７ａを適切に有するボトム部つまりチェストボトム７と、上端部材つまりチェストボトム７の横方向の寸法に対してかなり減少した横方向の寸法を有する上部ブロック８と、
中央縦バッテンつまりバックボード９と、２つの対称的な側部バッテンつまりプランク１０（特に図５参照）と、上記チェストボトム７と上部ブロック８との間に延在しているバッテン９および１０と、
複数の、縦方向に互い違いの横方向の補強部材つまりブリッジ１１と
を備え、
各ブリッジ１１は、上記中央バッテンつまりバックボード９に結合されている中間部１１ａと、上記側部バッテンつまりプランク１０（図５）に結合されている端部１１ｂとを有している。
【００３１】
上述した実施形態では、上記支持構造は、４つのブリッジ１１と、両端および連続するブリッジ１１の各組の間の５つの対応する細長形状の開口９ａを有する中央バッテンつまりバックボード９とを有している。
【００３２】
外側シェル１２は、上述した支持構造に結合され、略円錐台の半分の形状を有し、例えば、多数重なったカエデ材で形成されている。このカエデ材は、曲げられて、チェストボトム７および上部ブロック８の外面に対するのと同様に、バックボード９、側部バッテンつまりプランク１０、およびブリッジ１１の外面にぴったりとくっつけられている。
【００３３】
上述したように、本発明に係るサウンドチェスト４では、バッテン９，１０およびブリッジ１１は、それぞれ、相互に結合するための部分を有し、実質的に相補的な横方向プロフィールを有し、少なくとも部分的にお互いに貫通し合っている。
【００３４】
特に図５を参照して、凹型シート１１ｃは、各ブリッジ１１の中間部１１ａ内の中央バッテンあるいはバックボード９との結合のために事前に処理されている。この凹型シートは、上記バッテンつまりバックボード９の横方向プロフィールと相補的な、四角形溝として実質的に成形された横方向プロフィールを有している。
【００３５】
側部バッテンつまりプランク１０との結合のため、ブリッジ１１の端部１１ｂは、それぞれ、上記側部バッテンつまりプランク１０の横方向プロフィールと相補的な、好ましくは丸くなった頂点を有する略Ｌ字形状の横方向プロフィールを有する、凹型シート１１ｄを有している。
【００３６】
接着剤は、ブリッジの凹型シート１１ｃおよび１１ｄと、縦バッテン９および１０の対応する表面との間に介在している。
【００３７】
バッテン９，１０とブリッジ１１との間の結合は、特にねじなどの相互結合部材によって、より強化されると共に安定化される。この相互結合部材は、バッテン９，１０の外面から有利に挿入され、バッテン９，１０を通って延在し、その後、ブリッジ１１内に挿入されている。
【００３８】
特に図５から分かるように、ブリッジ１１およびバッテン９，１０の外面の横方向プロフィールは、お互いに連続的に連結し、同じ形で単一のアーチ形のプロフィールを形成している。
【００３９】
既に上で指摘したように、中空体６の内側に面するバッテン９，１０の表面は、適切には平らである。しかしながら、バッテン９，１０の外部つまり外面は、例えば約２ｍｍの相対的に含まれた最大曲げキャンバーで、適切に膨らんでいてもよい。
【００４０】
それ自体周知の態様のサウンドボード５は、チェストボトム7の方向において、シェル１２の横方向の幅に関して、だんだんと幅広になる横方向の幅を有している。
【００４１】
サウンドボード５の周辺端部と、シェル１２および相対的な支持構造９−１１との間の結合は、例えば合板の、１組の対称的なフィン１３によって実現されている。このフィン１３は、側部プランクつまりバッテン１０にぴったりとくっつけられると共に、シェル１２（図５）を越えて外側に突出している。フィン１３の遠位端は、例えばモミ材のスプリントつまり小バンド１４によって、接着ボンディング（adhesive bonding）によって、サウンドボード５に結合されている。
【００４２】
サウンドボード５は、それ自体周知の態様で、メインボード１５および合板１６(図２および５)の外側の層を適切に有している。メインボード１５は、スプリント１４が介在してフィン１３に適切に接着されている。
【００４３】
中空体６は、より標準化されると共に反復可能なデザイン工程を使用して製造することができる。
【００４４】
この中空体の様々なコンポーネントは、ＣＮＣワークセンターによって適切に製造することができる。これは、製造された製品が高い再現性および質を有していることを保証する。
【００４５】
上記コンポーネントは、図６および7に２０によって示されたテンプレートのような「明確な」テンプレートを事前に処理することにより、適切に組み立てることができる。このテンプレート２０は、ベース２１を有しており、このベース２１にマウントされるブロック２２がある。このブロック２２は、中空体６の内部容積に対応すると共に、一連の横方向溝２３を有している。この横方向溝２３では、少なくとも部分的に形状が結合して、ブリッジ１１が正確に配置されている。
【００４６】
ブロック２２の端部にも、上部ブロック８と、それぞれ、チェストボトム7を受けると共に配置することを目的としているシート２６および２７を有している。
【００４７】
実質的にトラックのような、縦方向の側部レセプタクル２４は、ブロック２２で事前に処理され、支持構造の側部バッテンつまりプランク１０を受けるのに適している。トラックのような同様の上部の縦レセプタクルも、ブロック２２で事前に処理され、中央バッテンつまりバックボード９を受けると共に配置することを目的としている。
【００４８】
一旦、ブリッジ１１およびバッテン９，１０がブロック２２のそれぞれのレセプタクルあるいはシートに配置されれば、チェストボトムプレート７および上部ブロック８は、上記ブロック２２の端部に合わされうる。
【００４９】
上記コンポーネント７−１１のすべては、テンプレート２０で事前に処理されている関連するレセプタクルに配置され、互いにすぐにぴったりとくっついて、外側に導入されるクランプねじを使用して取り付けられうる。
【００５０】
一旦、これらの工程が実行されると、シェルを形成することを目的としているカエデ材１２のシートは、支持構造の様々な面と接触し始めて、依然としてテンプレート２０に合わされている。
【００５１】
この少なくとも１枚の湾曲したシートは、支持構造９−１１によって、およびテンプレート２０のブロック２２によって形成された内在する組立品の形と「結合する」ように形作られ、例えば、粘着テープでそれを包むことにより、この形に固定される。
【００５２】
このように負荷されたテンプレート２０は、その後、プレス、例えば、加熱タイプの真空プレス内に配置される。そして、支持構造の様々な部品をお互いに安定的に接着ボンディングすること、および上記支持構造にシェルを安定的に接着ボンディングすることを実現する。
【００５３】
このように製造された上記中空体は、その後、テンプレート２０から分離できる。
【００５４】
このように製造されたシェル体６は、その後、シェルの形状を修正可能な著しい応力除去を必要とすることなく乾かすことができる。なぜなら、特にシェル１２および支持構造が１つの段階で成形されるからである。コンポーネント間の様々なジョイントは、最適であり、さらに著しい修正作業を必要としない。
【００５５】
上述したプロセスは、反復可能性、質および経済実行可能性の観点から特に有利である。
【００５６】
上記実施形態および構成の詳細は、明白に、本発明の原理から逸脱することなく、非限定的な実施例によって純粋に記載されると共に図示されたものとかなり異なっていてもよく、したがって、添付の特許請求の範囲で定義された発明の範囲から逸脱することはない。
【図１】
0005989639.tif 000002
【図２】
0005989639.tif 000003
【図３】
0005989639.tif 000004
【図４】
0005989639.tif 000005
【図５】
0005989639.tif 000006
【図６】
0005989639.tif 000007
【図７】
0005989639.tif 000008